(57)【要約】【課題】従来の犬用靴よりも犬の足にフィットし、歩き易く、着脱し易く、脱げにくく、衝撃や熱に強く、丈夫で、しかもデザイン性に優れた犬用靴を作製することを課題とする。【解決手段】犬の足を採寸し、オーダーメイド方式で犬用靴を作製することで犬の足にしっかりフィットすることを可能にし、靴の着脱口は両サイドが開き、後方をへら状にすることで簡単に着脱出来るようにした。靴底は合成ゴム、ヌメ皮、低反発の衝撃吸収素材、水分を吸収発散する抗菌防臭素材の４層構造にすることによって、滑りにくく、丈夫で、衝撃に強く、足にフィットして踏ん張りが効き、肉球からの発汗を吸収し発散させられることを可能にした。また、本体前面部分は自由に装飾を楽しむ事が出来るオーダーメイド方式とした。【選択図】図１
0003128268.tif 000002
【実用新案登録請求の範囲】
【請求項１】
本体を前後に二分し、左右が大きく開き、後方のへら状の部分を倒すことにより容易に着脱でき、その上犬の足の動きによって通風し、肉球からの発汗による蒸れを防ぐ犬用靴。
【請求項２】
犬靴本体の基本型と靴底の基本型を基にして、各々の犬の足を採寸し、各犬足の特微を正確にとらえ、しっかりとフィットさせ軽快な歩行及び走行を可能にした請求項１に記載のオーダーメイドの犬用靴。
【請求項３】
靴底は４重に構成する事で滑りにくく、丈夫で軽く耐寒、耐熱に即し、接地面からの衝撃を吸収し、肉球からの発汗を吸収発散する請求項１及び請求項２に記載の犬用靴。
【請求項４】
犬靴の形状により本体前面に毛皮及びクリスタルチェーン、イニシャル等を飼い主の希望に応じて装飾可能にした請求項１乃至請求項３のいずれか一項に記載のオーダーメイドの犬用靴。
【考案の詳細な説明】
【技術分野】
【０００１】本考案は犬の足を保護する為の犬用靴であり、さらに美的要素を兼ね備えた犬用靴に関するものである。
【背景技術】
【０００２】従来の犬用靴は、種類も少なく、デザインを重視したものは脱げ易かったり、軽いものは耐久性がなかったり、耐熱性を重視したものはデザイン性を重視していなかったり、人間の靴に比べると実用性とデザイン性を兼ね備えたものは少なかった。
【考案の開示】
【考案が解決しようとする課題】
【０００３】従来品より犬が歩き易く、着脱し易く、脱げにくく、衝撃や熱に強く、丈夫で、しかもデザイン性に優れた犬用靴を作製することを課題とする。
【考案を解決する為の手段】
【０００４】本案は犬の足の特徴をとらえ、犬種、大きさに合わせ採寸し、予め用意してある本体の基本型と靴底の基本型を基に裁断し、オーダーメイド方式により犬足にフィットさせることを可能とした。
【０００５】靴の着脱口は両サイドが開き、靴本体を前後に分け、後方はヘラ状にして簡単に着脱出来るようにした。
【０００６】足首はマジックテープを縫いつけたベルトをつける事で簡単に固定する。
【０００７】靴底は４重に構成され、地面に接する靴底は人間用ブーツなどに使用する合成ゴムを薄く削ったものを使用し、靴本体にミシンで縫い付けられた成牛のヌメ皮に専用の接着剤を用いて接着する。
【０００８】さらに、中敷きとして、低反発の衝撃吸収素材を使用し、接地面からの衝撃を軽減すると同時に、犬足の形に良くフィットし、足の踏ん張りが効くようにした。
【０００９】また、中敷表面に水分を吸収発散する抗菌防臭素材を貼ることによって、肉球からの発汗を吸収発散する。
【００１０】本体の表面の素材は、天然皮革を薄く削ったもの又はビニール生地、テトロン生地等を用いた繊維製品等、犬が歩き易く、耐久性に優れたものを使用。
【００１１】本体の前面にはクリスタルチェーンや毛皮を貼り付けられるようにし、デザイン性を高めることを可能にした。
【考案の効果】
【００１２】本考案は上述した通りであって、オーダーメイド方式で採寸、裁断する事によって、犬足によりフィットした犬用靴を作ることが可能となった。
【００１３】また、着脱口が両サイドで開き、靴本体を前後に大きく分け、後方はヘラ状にする事によって、装着が簡単に出来るようになった。
【００１４】靴底は４層構造で、合成ゴム、ヌメ皮、低反発の衝撃吸収素材、水分を吸収発散する抗菌防臭素材を使用することで、滑りにくく、丈夫で、衝撃を軽減すると同時に、犬足の形に良くフィットし、足の踏ん張りが効くようにし、肉球からの発汗を吸収発散するようになった。
【００１５】本体前面部分はクリスタルチェーンや毛皮など自由に装飾を楽しむことが出来るオーダーメイド方式としたことによってデザイン性を高めている。
【考案を実施する為の最良の形態】
【００１６】本考案の実施の形態を添付した図面で表し説明する。形態は犬の足の形にフィットするようにし、図１で示す通り１２箇所の部分から成り立っている。
【００１７】図１の本体前面部分１は、前中心に縫目を入れ、犬足の厚みを考慮して製作し表面と裏面の間に適度な硬さの材質を接着する事で犬の爪の引掻きによる破損と靴型の崩れを防止した。
【００１８】図２の通り本体後方部分２は、引き倒す事により挿入口が大きく開き、容易に装着できるようにした。
【００１９】なお、本体前面部分１と本体後方部分２は左右とも縁取りパイピング６よりわずか上まで縫い止めてある。この形態により犬の足が動く度に左右からの通風を得る為、肉球からの汗による蒸れの防止を助ける。
【００２０】また、へら状の本体後方部分２の表面と裏面の間にウレタンスポンジを挿入する事により、ベルト３を巻きつける際に強く締め付ける事なくフィットし、走行時に脱げにくくした。
【００２１】図１のベルト３は足首を締めるベルトで、内側にマジックファスナーを縫い付け、金属小カン５を通し、受け用マジックファスナー４の部分で固定する事によって、装着しやすく、脱げにくくした。
【００２２】図１の縁取りパイピング６の部分は、本体前面部１及び本体後方部分２とヌメ皮中底１１を縫い合わせてくるみ、その上から靴底合成ゴム７を専用の接着剤で張り合わせる事で縫目が表面に出なくなり、糸切れを防ぐことが出来る。
【００２３】図２の中敷９は人間の運動靴に使用されている衝撃吸収素材で、水分を吸収発散する抗菌防臭素材である中敷裏地１０を上から貼り付け、縁を縫い付ける事によって、足に良くフィットし、足の踏ん張りが効き、衝撃に強く、肉球から発する汗を吸収発散する事を可能にした。
【００２４】図３のように、靴底は、靴底合成ゴム７、ヌメ皮中底８、衝撃吸収素材の中敷９、抗菌防臭素材の中敷裏地１０からなる４層構造になっている。
【００２５】図４のクリスタルチェーン１１と毛皮１２は装飾であり、オーダーに応じてクリスタルチェーン１１を接着して縫い付ける場合や、毛皮１２を本体上部に接着する場合がある。
【図面の簡単な説明】
【００２６】
【図１】この考案の一実施形態を示した側面方向からの斜視図である。
【図２】この考案の一実施形態を示した後面方向からの斜視図である。
【図３】この考案の靴底部分の断面図である。
【図４】この考案の一実施形態を示した左前面方向からの斜視図である。
【符号の説明】
【００２７】１    本体前面部分
２    本体後方部分
３    ベルト
４    受け用マジックファスナー
５    金属小カン
６    縁取りパイピング
７    靴底合成ゴム
８    ヌメ皮中底
９    中敷
１０  中敷裏地
１１  クリスタルチェーン
１２  毛皮
【図１】
0003128268.tif 000003
【図２】
0003128268.tif 000004
【図３】
0003128268.tif 000005
【図４】
0003128268.tif 000006
【手続補正書】
【提出日】平成18年9月29日(2006.9.29)
【手続補正１】
【補正対象書類名】実用新案登録請求の範囲
【補正対象項目名】全文
【補正方法】変更
【補正の内容】
【実用新案登録請求の範囲】
【請求項１】
本体を前後に二分し、左右が大きく開き、後方のへら状の部分を倒すことにより容易に着脱でき、その上犬の足の動きによって通風し、肉球からの発汗による蒸れを防ぐ犬用靴。
【請求項２】
犬靴本体の基本型と靴底の基本型を基にして、各々の犬の足を採寸し、各犬足の特徴を正確にとらえ、しっかりとフィットさせ軽快な歩行及び走行を可能にした請求項１に記載のオーダーメイドの犬用靴。
【請求項３】
靴底は４重に構成する事で滑りにくく、丈夫で軽く耐寒、耐熱に即し、接地面からの衝撃を吸収し、肉球からの発汗を吸収発散する請求項１または２記載の犬用靴。
【請求項４】
犬靴の形状により本体前面に毛皮及びクリスタルチェーン、イニシャル等を飼い主の希望に応じて装飾可能にした請求項１乃至請求項３のいずれか一項に記載のオーダーメイドの犬用靴。
【手続補正２】
【補正対象書類名】明細書
【補正対象項目名】０００６
【補正方法】変更
【補正の内容】
【０００６】足首はマジックテープ（登録商標）を縫いつけたベルトをつける事で簡単に固定する。
【手続補正３】
【補正対象書類名】明細書
【補正対象項目名】００２１
【補正方法】変更
【補正の内容】
【００２１】図１のベルト３は足首を締めるベルトで、内側にマジックファスナー（登録商標）を縫い付け、金属小カン５を通し、受け用マジックファスナー（登録商標）４の部分で固定する事によって、装着しやすく、脱げにくくした。
【手続補正４】
【補正対象書類名】明細書
【補正対象項目名】００２７
【補正方法】変更
【補正の内容】
【００２７】１    本体前面部分
２    本体後方部分
３    ベルト
４    受け用マジックファスナー（登録商標）
５    金属小カン
６    縁取りパイピング
７    靴底合成ゴム
８    ヌメ皮中底
９    中敷
１０  中敷裏地
１１  クリスタルチェーン
１２  毛皮